【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
第2の無線アクセス技術(RAT)を使用する第2の無線機とともに併置された第1のRATを使用する第1の無線機を備えるデバイスとのワイヤレス通信のための方法であって、
前記第2の無線機で第1のスケジューリングメッセージを受信するステップであって、前記第1のスケジューリングメッセージは、前記第1の無線機からの次の第1の送信の第1の送信電力に関する情報を含む、ステップと、
前記第2の無線機において、総送信電力と電力しきい値との比較に少なくとも部分的に基づいて、前記第1の無線機と前記第2の無線機が並列に送信できるかどうかを判定して、前記総送信電力が前記電力しきい値を満たすかどうかを判定するステップであって、前記総送信電力は、前記第1の無線機からの前記次の第1の送信の前記第1の送信電力と、前記第2の無線機からの次の第2の送信の第2の送信電力とに基づく、ステップと、
前記総送信電力が前記電力しきい値を満たさないと判定した場合、前記第2の無線機において、前記次の第2の送信の前記第2の送信電力を調整するステップと、
前記次の第2の送信の前記調整された第2の送信電力及び、前記次の第2の送信の前記調整された第2の送信電力と前記次の第1の送信の前記第1の送信電力との合計が前記電力しきい値を満たすかどうか、に少なくとも部分的に基づいて、前記第2の無線機の送信ウィンドウを決定するステップと、
データユニットを集約されたフレームに追加するステップであって、前記データユニットの数が、前記送信ウィンドウのサイズに少なくとも部分的に基づく、ステップと、
前記調整された第2の送信電力を用いて送信される前記第2の無線機からの前記次の第2の送信を、前記第1の無線機からの前記次の第1の送信に合うように前記送信ウィンドウを調整するステップと、
前記調整された送信ウィンドウの間に、前記集約されたフレームを送信するステップと
を備える、方法。
【請求項２】
前記データユニットが、メディアアクセス制御(MAC)プロトコルデータユニット(MPDU)、MACサービスデータユニット(MSDU)、フィラーデータユニット、およびそれらの組合せで構成されるグループからのユニットを備える、請求項1に記載の方法。
【請求項３】
前記集約されたフレームが、集約されたメディアアクセス制御(MAC)プロトコルデータユニット(A-MPDU)、集約されたMACサービスデータユニット(A-MSDU)、ならびにそれらの組合せで構成されるグループからのフレームを備える、請求項1に記載の方法。
【請求項４】
前記集約されたフレームに前記データユニットを追加するステップが、前記データユニットのサイズ、変調レート、およびそれらの組合せで構成されるグループからのパラメータにさらに基づく、請求項1に記載の方法。
【請求項５】
第2の無線アクセス技術(RAT)を使用する第2の無線機とともに併置された第1のRATを使用する第1の無線機を備えるデバイスとのワイヤレス通信のための方法であって、
前記第2の無線機で第1のスケジューリングメッセージを受信するステップであって、前記第1のスケジューリングメッセージは、前記第1の無線機からの次の第1の送信の第1の送信電力に関する情報を含む、ステップと、
前記第2の無線機において、総送信電力の合計と電力しきい値との比較に少なくとも部分的に基づいて、前記第1の無線機と前記第2の無線機が並列に送信できるかどうかを判定して、前記総送信電力が前記電力しきい値を満たすかどうかを判定するステップであって、前記総送信電力は、前記第1の無線機からの前記次の第1の送信の前記第1の送信電力と、前記第2の無線機からの次の第2の送信の第2の送信電力とに基づく、ステップと、
前記総送信電力が前記電力しきい値を満たさないと判定した場合、前記第2の無線機において、前記次の第2の送信の前記第2の送信電力を調整するステップと、
前記次の第2の送信の前記調整された第2の送信電力及び、前記次の第2の送信の前記調整された第2の送信電力と前記次の第1の送信の前記第1の送信電力との合計が前記電力しきい値を満たすかどうか、に少なくとも部分的に基づいて、前記第1の無線機上の第1の送信と前記第2の無線機上の第2の送信とを調整するステップと
前記第1の無線機と前記第2の無線機が並列に送信可能であるとの判断に応答して、前記第1の無線機と前記第2の無線機の送信パラメータを調整し、前記調整された送信パラメータを使用して送信される前記第2の無線機からの前記次の第2の送信を、前記第1の無線機からの前記次の第1の送信に合わせるステップと、
を備える、方法。
【請求項６】
前記第1の無線機上の前記第1の送信と前記第2の無線機上の前記第2の送信とを調整するステップが、
前記第1の無線機と前記第2の無線機が並列に送信できるとの判定に応答して送信電力を適合させるステップを備え、前記電力が、前記第1の無線機の送信電力、前記第2の無線機の送信電力、およびそれらの組合せで構成されるグループのうちの1つである、請求項5に記載の方法。
【請求項７】
前記送信電力を適合させるステップが、
並列送信の電力制限を満たすために前記送信電力を低減するステップを備える、請求項6に記載の方法。
【請求項８】
前記第1の無線機上の前記第1の送信と前記第2の無線機上の前記第2の送信とを調整するステップが、
前記第1の無線機と前記第2の無線機は並列に送信することができないとの判定に応答して、前記第2の送信のフレームサイズを適合させるステップを備える、請求項5に記載の方法。
【請求項９】
前記第1の無線機上の前記第1の送信と前記第2の無線機上の前記第2の送信とを調整するステップが、
前記受信された第1のスケジューリングメッセージに少なくとも部分的に基づいて、前記第2の無線機からの前記第2の送信を遅延させるステップを備える、請求項5に記載の方法。
【請求項１０】
前記判定が、前記第2の送信に対する前記第1の送信の相対的な優先順位に少なくとも部分的に基づく、請求項5に記載の方法。
【請求項１１】
前記判定が送信電力に少なくとも部分的に基づき、前記送信電力が、前記第1の無線機、前記第2の無線機、およびそれらの組合せで構成されるグループのうちの1つである、請求項5に記載の方法。
【請求項１２】
前記第1のスケジューリングメッセージが、前記第1の送信のタイミング情報、前記第1の送信の優先順位、前記第1の送信の送信電力、およびそれらの組合せで構成されるグループからのパラメータを備える、請求項5に記載の方法。
【請求項１３】
前記第1の無線機に第2のスケジューリングメッセージを送信するステップをさらに備え、前記第2のスケジューリングメッセージが、前記第2の送信の送信電力、前記第2の送信の優先順位、およびそれらの組合せで構成されるグループからのパラメータを備える、請求項5に記載の方法。
【請求項１４】
前記第1の無線機上の前記第1の送信と前記第2の無線機上の前記第2の送信とを調整するステップが、
前記第2のスケジューリングメッセージに少なくとも部分的に基づいて、前記第1の無線機からの前記第1の送信を遅延させるステップを備える、請求項13に記載の方法。
【請求項１５】
前記第1の無線機上の前記第1の送信と前記第2の無線機上の前記第2の送信とを調整するステップが、
前記第2の無線機のカウンタの満了前の、前記第2の無線機での前記第1のスケジューリングメッセージの受信に応答して、前記第2の無線機から前記第2の送信を送信することを控えるステップを備える、請求項5に記載の方法。
【請求項１６】
前記第1の無線機がBluetooth無線機を備え、前記第2の無線機がワイヤレスローカルエリアネットワーク(WLAN)無線機を備える、請求項5に記載の方法。
【請求項１７】
第2の無線アクセス技術(RAT)を使用する第2の無線機とともに併置された第1のRATを使用する第1の無線機を備えるワイヤレス通信のための装置であって、
前記第2の無線機で第1のスケジューリングメッセージを受信するための手段であって、前記第1のスケジューリングメッセージは、前記第1の無線機からの次の第1の送信の第1の送信電力に関する情報を含む、手段と、
前記第2の無線機において、総送信電力と電力しきい値との比較に少なくとも部分的に基づいて、前記第1の無線機と前記第2の無線機が並列に送信できるかどうかを判定して、前記総送信電力が前記電力しきい値を満たすかどうかを判定する手段であって、前記総送信電力は、前記第1の無線機からの前記次の第1の送信の前記第1の送信電力と、前記第2の無線機からの次の第2の送信の第2の送信電力とに基づく、手段と、
前記総送信電力が前記電力しきい値を満たさないと判定した場合、前記第2の無線機において、前記次の第2の送信の前記第2の送信電力を調整する手段と、
前記次の第2の送信の前記調整された第2の送信電力及び、前記次の第2の送信の前記調整された第2の送信電力と前記次の第1の送信の前記第1の送信電力との合計が前記電力しきい値を満たすかどうか、に少なくとも部分的に基づいて、前記第1の無線機上の第1の送信と前記第2の無線機上の第2の送信とを調整するための手段と、
前記第1の無線機と前記第2の無線機が並列に送信可能であるとの判断に応答して、前記第1の無線機と前記第2の無線機の送信パラメータを調整し、前記調整された送信パラメータを使用して送信される前記第2の無線機からの前記次の第2の送信を、前記第1の無線機からの前記次の第1の送信に合わせる手段と、
を備える、装置。
【請求項１８】
前記第1の無線機上の前記第1の送信と前記第2の無線機上の前記第2の送信とを調整するための前記手段が、
前記第1の無線機と前記第2の無線機が並列に送信できるとの判定に応答して送信電力を適合させるための手段を備え、前記送信電力が、前記第1の無線機の送信電力、前記第2の無線機の送信電力、およびそれらの組合せで構成されるグループのうちの1つである、請求項17に記載の装置。
【請求項１９】
前記送信電力を適合させるための前記手段が、
並列送信の電力制限を満たすために前記送信電力を低減するための手段を備える、請求項18に記載の装置。
【請求項２０】
前記第1の無線機上の前記第1の送信と前記第2の無線機上の前記第2の送信とを調整するための前記手段が、
前記第1の無線機と前記第2の無線機は並列に送信することができないとの判定に応答して、前記第2の送信のフレームサイズを適合させるための手段を備える、請求項17に記載の装置。
【請求項２１】
前記第1の無線機上の前記第1の送信と前記第2の無線機上の前記第2の送信とを調整するための前記手段が、
前記受信された第1のスケジューリングメッセージに少なくとも部分的に基づいて、前記第2の無線機からの前記第2の送信を遅延させるための手段を備える、請求項17に記載の装置。
【請求項２２】
前記第1の無線機に第2のスケジューリングメッセージを送信するための手段をさらに備え、前記第2のスケジューリングメッセージが、前記第2の送信の送信電力、前記第2の送信の優先順位、およびそれらの組合せで構成されるグループからのパラメータを備える、請求項17に記載の装置。
【請求項２３】
前記第1の無線機上の前記第1の送信と前記第2の無線機上の前記第2の送信とを調整するための前記手段が、
前記第2のスケジューリングメッセージに少なくとも部分的に基づいて、前記第1の無線機からの前記第1の送信を遅延させるための手段を備える、請求項22に記載の装置。
【請求項２４】
前記第1の無線機上の前記第1の送信と前記第2の無線機上の前記第2の送信とを調整するための手段が、
前記第2の無線機のカウンタの満了前の、前記第2の無線機での前記第1のスケジューリングメッセージの受信に応答して、前記第2の無線機から前記第2の送信を送信することを控えるための手段を備える、請求項17に記載の装置。
【請求項２５】
ワイヤレス通信のための装置であって、
第1の無線アクセス技術(RAT)を使用する第1の無線機と、
第1のスケジューリングメッセージを受信するために第2のRATを使用する第2の無線機であって、前記第1の無線機とともに併置される第2の無線機であって、前記第1のスケジューリングメッセージは、前記第1の無線機からの次の第1の送信の第1の送信電力に関する情報を含む、第2の無線機と、
前記第2の無線機において、総送信電力と電力しきい値との比較に少なくとも部分的に基づいて、前記第1の無線機と前記第2の無線機が並列に送信できるかどうかを判定して、前記総送信電力が前記電力しきい値を満たすかどうかを判定し、前記総送信電力は、前記第1の無線機からの前記次の第1の送信の前記第1の送信電力と、前記第2の無線機からの次の第2の送信の第2の送信電力とに基づいており、
前記総送信電力が前記電力しきい値を満たさないと判定した場合、前記第2の無線機において、前記次の第2の送信の前記第2の送信電力を調整し、
前記次の第2の送信の前記調整された第2の送信電力及び、前記次の第2の送信の前記調整された第2の送信電力と前記次の第1の送信の前記第1の送信電力との合計が前記電力しきい値を満たすかどうか、に少なくとも部分的に基づいて、前記第1の無線機上の第1の送信と前記第2の無線機上の第2の送信とを調整し、
前記第1の無線機と前記第2の無線機が並列に送信可能であるとの判断に応答して、前記第1の無線機と前記第2の無線機の送信パラメータを調整し、前記調整された送信パラメータを使用して送信される前記第2の無線機からの前記次の第2の送信を、前記第1の無線機からの前記次の第1の送信に合わせるための通信マネージャと
を備える、装置。
【請求項２６】
前記第1の無線機上の前記第1の送信と前記第2の無線機上の前記第2の送信とを調整するステップが、前記第1の無線機と前記第2の無線機が並列に送信できるとの判定に応答して送信電力を適合させるステップを備え、前記送信電力が、送信電力、フレームサイズ、およびそれらの組合せで構成されるグループから選択される、請求項25に記載の装置。
【請求項２７】
前記第1の無線機上の前記第1の送信と前記第2の無線機上の前記第2の送信とを調整するステップが、
前記受信された第1のスケジューリングメッセージに少なくとも部分的に基づいて、前記第2の無線機からの前記第2の送信を遅延させるステップを備える、請求項25に記載の装置。
【請求項２８】
前記通信マネージャが、前記第1の無線機に第2のスケジューリングメッセージを送信するようにさらに構成され、前記第2のスケジューリングメッセージが、前記第2の送信の送信電力、前記第2の送信の優先順位、およびそれらの組合せで構成されるグループからのパラメータを備える、請求項25に記載の装置。
【請求項２９】
前記第1の無線機上の前記第1の送信と前記第2の無線機上の前記第2の送信とを調整するステップが、
前記受信された第2のスケジューリングメッセージに少なくとも部分的に基づいて、前記第1の無線機からの前記第1の送信を遅延させるステップを備える、請求項28に記載の装置。
【請求項３０】
前記第1の無線機上の前記第1の送信と前記第2の無線機上の前記第2の送信とを調整するステップが、
前記第2の無線機のカウンタの満了前の、前記第2の無線機での前記第1のスケジューリングメッセージの受信に応答して、前記第2の無線機から前記第2の送信を送信することを控えるステップを備える、請求項25に記載の装置。